(57)【要約】  【課題】少ない加工工程で製造でき、調整長を大きく採ることができるとともに、狭い所でも回し易すい鋼製床束を提供する。【解決手段】土台に固定される土台支持板１、大引を支持する大引支持板２及び、土台支持板１及び大引支持板２を連結するターンバックル３からなる鋼製床束において、土台支持板１にはねじ棒４が上向きに固定され、大引支持板２には下向きにねじ棒６が固定され、ターンバックル３は丸パイプからなり、ターンバックル３の頭部及び底部には六角形に絞ぼられた６角形絞り部７が形成され、絞り部７の内周に頭部のねじ８と底部のねじ９が逆ねじに形成され、頭部のねじ８に大引支持板２のねじ棒６が螺合し、底部のねじ９に土台支持板１のねじ棒４が螺合し、各ねじ棒４，６に回り止めのナット１０が螺合されている【選択図】図１
0003111339.tif 000002
【実用新案登録請求の範囲】
【請求項１】
土台に固定される土台支持板、大引を支持する大引支持板及び、土台支持板及び大引支持板を連結するターンバックルからなる鋼製床束において、
土台支持板にはねじ棒が上向きに固定され、大引支持板には下向きにねじ棒が固定され、
ターンバックルは丸パイプからなり、ターンバックルの頭部及び底部には六角形に絞ぼられた６角形絞り部が形成され、絞り部の内周に頭部のねじと底部のねじが逆ねじに形成され、頭部のねじに大引支持板のねじ棒が螺合し、底部のねじに土台支持板のねじ棒が螺合し、各ねじ棒に回り止めのナットが螺合されていることを特徴とする鋼製床束。
【考案の詳細な説明】
【技術分野】
【０００１】
本考案は、木造建築物の床構造において、床板を支えるために基礎コンクリートに立設して大引きを支持する鋼製床束に関する。
【背景技術】
【０００２】
木造建築物の床板を支えるために基礎コンクリートに立設して大引きを支持し、上下に反って床材と大引きとの間にスキマが発生して床鳴りがないようにするために床束が利用されている。
【０００３】
従来、床束として木材製のものが一般に使用されているが、木材製の床束は、床高さ寸法通りに切断していく必要があって甚だ面倒であり、また、微調整も困難であるために、最近では、ねじによって高さ調節を自在とした鋼製床束が採用されるようになってきている。
【０００４】
鋼製床束は、例えば特許文献１等により提案されている。
【０００５】
図３は従来の鋼製床束の一例を示す図である。図３において、鋼製床束は、土台に固定される土台支持板１、大引を支持する大引支持板２、土台支持板１及び大引支持板２をそれぞれねじで連結するターンバックル３からなる。
【０００６】
四角形の土台支持板１には、ターンバックル３に螺合されるねじ棒４が上向きに溶接により固定され、さらに土台に固定するためのボルトを通すボルト挿通孔１ａが形成されている。
【０００７】
大引を支持する断面Ｌ字形の大引支持板２の下面には下向きにねじ棒６が溶接により固定されている。大引支持板２のねじ棒６は土台支持板１のねじ棒４と逆方向のねじが形成される。さらに大引支持板２には大引を固定する木ねじを通す木ねじ挿通孔５が形成されている。
【０００８】
ターンバックル３は丸パイプの頭部及び底部を絞ぼって絞り部１１が形成され、絞り部１１の内周がねじ加工されて頭部のねじと底部のねじが逆ねじに形成される。頭部のねじに大引支持板２のねじ棒６が螺合し、底部のねじに土台支持板１のねじ棒４が螺合して、鋼製床束が組み立てられる。各ねじ棒４，６には、回り止めのナット１０が螺合される。
【０００９】
ターンバックル３には、スパナなどの工具で回しやすいように胴部の中央付近にプレス加工により絞って四角形状のスパナ係止部１２が形成される。スパナ係止部１２にスパナを係止し、ターンバックル３を回転させることで高さを調節する。
【特許文献１】登録実用新案第３０４００６１号公報
【考案の開示】
【考案が解決しようとする課題】
【００１０】
従来の鋼製床束には、次の問題点がある。
【００１１】
（１）ターンバックルの両端に右ねじ又は左ねじを加工するために、パイプの両端は径を小さくするように絞り加工をし、さらにスパナ回しのために胴部をプレス加工しており、加工に手間がかかり従ってコストもアップする。
【００１２】
（２）スパナ回しのために胴部を４角形にプレス加工すると、断面係数がパイプの断面係数に比べ、少し小さくなるので少し小さな圧縮荷重により挫屈してしまう可能性がある。
【００１３】
（３）胴部にスパナを係止するための絞り部を形成すると、内径が絞られて小さくなり、ねじ棒とのスキマが小さくなってねじ棒が通らなかったりするので調整長さが短くなる場合がある。
【００１４】
そこで、本考案は、少ない加工工程で製造でき、調整長を大きく採ることができるとともに、狭い所でも回し易すい鋼製床束を提供するものである。
【課題を解決するための手段】
【００１５】
本考案の鋼製床束は、土台に固定される土台支持板、大引を支持する大引支持板及び、土台支持板及び大引支持板を連結するターンバックルからなる鋼製床束において、土台支持板にはねじ棒が上向きに固定され、大引支持板には下向きにねじ棒が固定され、ターンバックルは丸パイプからなり、ターンバックルの頭部及び底部には六角形に絞ぼられた６角形絞り部が形成され、絞り部の内周に頭部のねじと底部のねじが逆ねじに形成され、頭部のねじに大引支持板のねじ棒が螺合し、底部のねじに土台支持板のねじ棒が螺合し、各ねじ棒に回り止めのナットが螺合されていることを特徴とする。
【考案の効果】
【００１６】
本考案は、次の効果を有する。
【００１７】
（１）パイプの両端を六角形に絞り加工し、その内面に右ねじ又は左ねじを加工すれば、加工工程が少ないのでコストダウンになる。
【００１８】
（２）胴部は丸パイプのままなので、挫屈強度が従来品より大きくなる。
【００１９】
（３）胴部は丸パイプなので調整長を大きく採ることができる。
【００２０】
（４）６角形なのでスパナをかけて回す時に６０度回せるので、狭い所でも回しやすい。
【考案を実施するための最良の形態】
【００２１】
図１は本考案の鋼製床束の側面図、図２（ａ）は胴部の一部断面を示す図、（ｂ）は（ａ）のＡ−Ａ線断面図、（ｂ）は（ａ）のＢ−Ｂ線断面図である。
【００２２】
図１において、鋼製床束は、土台に固定される土台支持板１、大引を支持する大引支持板２、土台支持板１及び大引支持板２をそれぞれねじで連結するターンバックル３で構成される。
【００２３】
土台支持板１は、従来品と同じく、四角形のプレートに、ターンバックル３に螺合されるねじ棒４が上向きにプロジェクション溶接により固定され、さらに土台に固定するためのボルトを通すボルト挿通孔１ａが間隔をおいて形成されている。
【００２４】
大引支持板２も従来品と同じく、四角形のプレートの上面に支持された大引が移動しないようにＬ字形に形成され、大引を固定するための木ねじを通すねじ挿通孔５が形成されている。大引支持板２の下面には下向きにねじ棒６がプロジェクション溶接により固定されている。大引支持板２のねじ棒６は土台支持板１のねじ棒４と逆方向のねじが形成される。
【００２５】
図２において、ターンバックル３は図２（ｂ）の断面図に示すように丸パイプからなり、頭部及び底部は図２（ｃ）の断面図に示すように六角形に絞って６角形絞り部７を形成するとともに、内周がそのままねじ加工される。頭部のねじ８と底部のねじは逆ねじが形成される。頭部のねじ８に大引支持板２のねじ棒６が螺合し、底部のねじに土台支持板１のねじ棒４が螺合する。各ねじ棒４，６には、従来品と同じく回り止めのナット１０が螺合される。
【００２６】
次に、本考案の鋼製床束の使用方法について説明する。
【００２７】
土台支持板１のねじ棒４及び大引支持板２のねじ棒６にそれぞれ回り止めのナット１０を螺合させた後、土台支持板１のねじ棒４をターンバックル３の底部のねじ９に螺合させ、大引支持板２のねじ棒６をターンバックル３の頭部のねじ８に螺合させて鋼製床束を組み立てる。
【００２８】
鋼製床束を大引の下方にある土台に土台支持板１を載せてボルトをボルト挿通孔１ａに通して固定する。
【００２９】
鋼製床束を土台に固定後、ターンバックル３の頭部又は底部の六角形絞り部７にスパナを係合させてターンバックル３を回転させて大引支持板２を上昇させて大引に接触させ、さらにターンバックル３を回転させて高さ調節を行って大引を支持する。
【００３０】
大引を支持した後、ナット１０を回転させてターンバックル３の回り止めをする。
【００３１】
その後、大引支持板２のねじ挿通孔５に木ねじを通して大引を大引支持板２に固定する。
【図面の簡単な説明】
【００３２】
【図１】本考案の鋼製床束の全体図である。
【図２】（ａ）は胴部の拡大図、（ｂ）は（ａ）のＡ−Ａ線断面図、（ｂ）は（ａ）のＢ−Ｂ線断面図である。
【図３】従来の鋼製床束の一例を示す図である。
【符号の説明】
【００３３】
１：土台支持板
２：大引支持板
３：ターンバックル
４：ねじ棒
５：ねじ挿通孔
６：ねじ棒
７：６角形絞り部
８：頭部のねじ
９：底部のねじ
１０：ナット
１１：絞り部
１２：スパナ係止部
【図１】
0003111339.tif 000003
【図２】
0003111339.tif 000004
【図３】
0003111339.tif 000005